【事件の表示】
　平成　５年特許願第２７８４０３号「情報提供装置」拒絶査定不服審判事件〔平成　７年　５月１９日出願公開、特開平　７−１３００７７〕について、次のとおり審決する。
【結　論】
　本件審判の請求は、成り立たない。
【理　由】
１．手続の経緯・本願発明
　本件審判の請求に係る特許出願（以下、「本願」という。）は、平成５年１１月８日に出願されたものであって、その請求項１乃至３に係る発明は、平成５年１１月１６日付け、及び、平成１４年３月１４日付けの各手続補正よって補正された明細書及び図面の記載からみて、特許請求の範囲の請求項１乃至３に記載されたとおりのものと認められるところ、そのうち請求項１に記載された発明（以下、「本願発明」という。）は、以下のとおりのものである。
　「複数の端末装置の内の少なくとも１からの再生要求に応じて、複数の情報データ片が予め記録されている記録媒体から前記再生要求によって指定された情報データ片を再生してこれを再生要求元の前記端末装置に提供する情報提供装置であって、
　前記端末装置各々に対応した複数のメモリと、
　複数の前記端末装置から同時に前記再生要求が為された場合には再生要求元の前記端末装置各々にて指定された情報データ片の各々を所定速度よりも高速に前記記録媒体から読み取る情報読取手段と、
　前記記録媒体から読み出された前記情報データ片の各々を前記再生要求元の前記端末装置に対応した前記メモリに記憶させつつ、前記メモリの各々に記録された前記情報データ片を夫々前記所定速度で読み出すべく制御するメモリ制御手段と、
　前記メモリの各々から読み出された前記情報データ片を前記再生要求元の前記端末装置の各々に送出する情報送出手段と、を有することを特徴とする情報提供装置。」
　
　
２．刊行物及びその記載
　原査定の拒絶理由で引用された実願昭６０−５３０３５（実開昭６１−１７２３４７）のマイクロフィルムには、多重系電子計算機システムの外部記憶装置に係り、特に複数の上位制御装置によって制御される可動ヘッド型のディスク記憶装置に関する発明について、以下の記載がある。
　(2-1)「それぞれ制御インターフェイスを介して指令を与えることにより、複数の上位制御装置によつて制御されるディスク記憶装置において、読出し要求のあつた記憶レコードを含む複数トラック分のデー夕を保持し、前記上位制御装置からの記憶ファイル操作要求に対して、前記制御インターフェイス毎に独立してキャッシュ動作を行ない得るキャッシュ機構を備えたことを特徴とするディスク記憶装置。」（実用新案登録請求の範囲）
　
　(2-2)「ここで、適用プログラムが操作する記憶ファイルが、第３図に示すように、同一ディスク記憶媒体(1)のファイル1およびファイル2の領域に存在する場合、それぞれの適用プログラムの記憶ファイル操作要求によってリード・ライトヘッド(3)はファイル1とファイル2の記憶領域を激しく往復する。」（第３頁第１２行〜１８行目）
　
　(2-3)「〔問題点を解決するための手段〕　この考案に係るディスク記憶装置は、上位制御装置と接続する制御インターフェイス毎にキャッシュメモリを有するキャッシュ機構を備え、上位制御装置からの記憶ファイル操作要求に対して制御インターフェイス毎にキャッシュ動作を行なうものである。」（第５頁第１２行〜１８行目）
　
　(2-4)「〔実施例〕　第１図は本考案の一実施例を、要部をブロックで示した構成説明図であり、(1)〜(7)は上記従来装置と全く同一のものである。そして、これら以外の(8)および(9)は制御インターフェイス(6)，(7)にそれぞれ付加したキャッシュ機構で、読出し要求のあった記憶レコードを含む複数トラック分のデータを保持させ、キャッシュ動作を行わせるものである。
　上記のように構成されたデータ記憶装置において、上位制御装置からの記憶ファイル操作要求はそれぞれ制御インターフェイス(6)および(7)を介して指示される。
　ここで、制御インターフェイス(6)側からデータ読出しを指令された場合、もう一つの制御インターフェイス(7)側からディスク記憶装置を操作中でないこと確認した後、キャッシュ機構(8)に読出し要求を満たすデータがあるか否かを判別し、そのデータがあればこれを読出しデータとしてキャッシュ機構(8)から、制御インターフェイス(6)を介して、上位制御装置へ転送する。
　一方、キャッシュ機構(8)に読出し要求を満たすデータが無い場合には、ヘッド位置決め機構(4)によりリード・ライトヘッド(3)を、目的データの存在するディスク記憶媒体(1)上の所定のシリンダアドレスに移動し、リード・ライト制御機構(5)により目的データを読出して、キャッシュ機構(8)および制御インターフェイス(6)を介して上位制御装置へ転送する。
　このとき、ディスク記憶媒体(1)から読み出されるデータは上位制御装置からの要求データを先頭にして、連続的に要求データの数倍乃至10倍程度のデータを読出し、要求データ以外は新たなキャッシュデータとしてキャッシュ機構(8)のキャッシュメモリに保持し、これ以降の読出し要求に備える。」（第６頁第４行〜第７頁第１９行目）
　
　(2-5)「なお、キャッシュ機構(8)および(9)は全く同一に構成され、それぞれキャッシュデータ保持と、キャッシュデータに対応するディスク記憶媒体(1)上の記憶位置保持とを行なうメモリ素子で構成されている。
　ところで、上記実施例では二つの上位制御装置から操作される二重系制御ディスク記憶装置について説明したが、多数の上位制御装置からの指令によって操作される多重系制御記憶装置でも、上述したと同様に、ディスク記憶媒体からデータを読み出す回数を大幅に削減することができる。」（第８頁第１６行〜第９頁第６行目）
　
　以上の記載をキャッシュメモリ素子に要求を満たすデータがない場合を想定して、整理すると、結局、刊行物には、以下のとおりの発明が記載されているものと認める。
　「複数の上位制御装置それぞれに設けられた制御インターフェイスを介して指令を与えることにより、複数の上位制御装置によつて制御され、同一のディスク上に複数のファイルを記録したディスク記憶装置において、
　読出し要求のあつた記憶レコードを含む複数トラック分のデー夕を保持し、上位制御装置からの記憶ファイル操作要求に対して、制御インターフェイス毎に独立してキャッシュ動作を行ない得るキャッシュメモリ素子を備え、
　制御インターフェイス側からデータ読出しを指令されたとき、他の制御インターフェイス側からディスク記憶装置を操作中でないことを確認した後、
　ヘッド位置決め機構によりリード・ライトヘッドを、目的データの存在するディスク記憶媒体上の所定のシリンダアドレスに移動し、リード・ライト制御機構により目的データを読み出して、キャッシュメモリ素子に保持し、制御インターフェイスを介して上位制御装置へ転送することを特徴とするディスク記憶装置。」
　
　
３．対比・判断
　(3-1)本願発明と刊行物記載の発明を対比する。
　 (3-1-1)刊行物記載の発明におけるファイル、複数のファイルを記録したディスクが、それぞれ、本願発明の情報データ片、記録媒体に相当することは明らかである。
　 (3-1-2)刊行物記載の発明における目的データの読出し要求、ディスクからの目的データの読出し動作は、それぞれ、本願発明でいう再生要求、再生動作に他ならない。
　 (3-1-3)ディスク記憶装置は、上位制御装置に対しては、ディスクに記憶した目的データを提供しているということができる。
　 (3-1-4)いずれの発明も、他の複数の装置の要求に応じて情報を提供する情報提供装置に関する点で共通する。
　 (3-1-5)刊行物記載の発明におけるディスク記憶装置は、複数の上位制御装置それぞれに制御インターフェイス及びキャッシュ動作を行ない得るキャッシュメモリを有するもので、刊行物の第１図からみても、上位制御装置各々に対応した複数のキャッシュメモリを有するものであり、キャッシュメモリが本願発明のメモリに相当することは明らかである。
　 (3-1-6)刊行物記載の発明において、同時に複数の読出し要求があったときのディスク記憶装置の動作についてみると、刊行物には、複数の読出し要求が、同時になされたときの動作についての記載はない。
　 他方、本願発明において、複数の再生要求が同時なされたときの情報読取手段の動作についてみると、読出し速度についてはともかく、「複数の前記端末装置から同時に前記再生要求が為された場合には」「再生要求元の前記端末装置各々にて指定された情報データ片の各々を前記記録媒体から読み取る」とされているのみであり、記憶媒体からの読み取り動作自体に、同時再生要求に対する特段の工夫がされているとも認められない。
　しかも、本願の【図３】【図１１】及び刊行物の第３図からみて、各データ及び各ファイルの記憶媒体上での配置構造に、差異はなく、両発明における読取り動作にも格別の差異があるとも認められない。
　即ち、読出し速度についてはともかく、複数の再生要求が同時なされたときの情報読取手段の動作、要するに、「複数の前記端末装置から同時に前記再生要求が為された場合には再生要求元の前記端末装置各々にて指定された情報データ片の各々を前記記録媒体から読み取る」動作は、刊行物記載の発明においても、当然に採用しているものと認められ、両発明において、同時複数要求時の読出し動作に格別の差異は認められない。
　
　(3-2)本願発明と刊行物記載の発明との［一致点］及び［相違点］は以下のとおりのものと認める。
　［一致点］
「複数の装置の内の少なくとも１からの再生要求に応じて、複数の情報データ片が予め記録されている記録媒体から前記再生要求によって指定された情報データ片を再生してこれを再生要求元の前記装置に提供する情報提供装置であって、
　前記装置各々に対応した複数のメモリと、
　複数の前記装置から同時に前記再生要求が為された場合には再生要求元の前記装置各々にて指定された情報データ片の各々を前記記録媒体から読み取る情報読取手段と、
　前記メモリの各々から読み出された前記情報データ片を前記再生要求元の前記装置の各々に送出する情報送出手段と、を有することを特徴とする情報提供装置。」
　
　［相違点］
　i．再生要求を発する装置について、本願発明が、端末装置としているのに対して、刊行物記載の発明のものは、上位制御装置としている点。
　ii．記録媒体からの指定された情報データ片の各々の読出し速度について、本願発明が、所定速度よりも高速に読み出しているのに対して、刊行物記載の発明は、読出し速度自体が不明な点。
　iii．記録媒体から読み出された情報データ片のメモリへの書込み及びメモリからの読出し動作に対して、本願発明では、記録媒体から読み出された情報データ片の各々を再生要求元の端末装置に対応したメモリに記憶させつつ、メモリの各々に記録された情報データ片を夫々所定速度で読み出すべく制御するメモリ制御手段を用いているのに対して、刊行物記載の発明では、このようなメモリ制御手段を用いていない点
　
　(3-3)判断
　相違点i．について
　情報提供装置と要求を発して情報提供を受ける複数の端末からなるシステムは、ごく周知のものである。
　刊行物記載の発明においても、目的データの移動方向からみると、ディスク記憶装置側が情報提供装置とみることもでき、刊行物記載の発明をディスク記憶装置側を上位装置とし、複数の下位装置、即ち端末装置からの目的データの要求に対応するように構成することには、格別の困難性はなく適宜になし得るものと認める。
　
　相違点ii．及びiii．について
　音楽データを記録した記録媒体から音楽データを読み出して再生する再生装置において、通常の音楽再生速度より高速な読出し速度で、記録媒体から音楽データを読み出し、読み出した音楽データを記録媒体からの読出し速度に対応した高速度でメモリに書込みながら、音楽再生速度に対応した通常の再生速度で、メモリ手段から音楽データを読み出し、再生部に送出することは、ごく周知のことである（必要があれば、特開平３−４０２６９号公報、特開平３−２７３５８６号公報参照）。
　刊行物記載の発明においても、ディスク記憶装置から読み出すデータの内容によっては、ディスク記憶装置からの読出し速度及びキャッシュメモリへの書込み速度を通常の所定速度より高速とし、キャッシュメモリへの書込みを行ないながら、キャッシュメモリから通常の所定速度で読出すことは、当業者であれば、ごく容易になし得るものと認められ、対応するメモリ制御手段を採用することも、格別の困難性もなく適宜になし得るものと認める。
　
　相違点の何れの構成要件も、刊行物記載の発明において、格別の困難性もなく適宜になし得る範囲内のものであり、結局、本願発明は、刊行物に記載された発明に基づいて、当業者が容易に発明し得たものと認める。
　
　
４．むすび
　以上のとおりであるから、本願請求項１に係る発明は、特許法２９条第２項の規定により特許を受けることができない。
　したがって、本願は、その余の請求項に論及するまでもなく、拒絶すべきものである。
　
　　よって、結論のとおり審決する。